(57)【要約】  【課題】  光ディスク装置において、光ピックアップとフレキシブルプリント配線基板との吸着をなくす技術の提供。  【解決手段】  光ピックアップのボトムカバー部材など該光ピックアップを構成する部材の、フレキシブルプリント配線基板の平面に対向する部分に一体状に、突起部を設け、該光ピックアップが該フレキシブルプリント配線基板の対向面に接触するとき、該突起部の先端部において接触する構成とする。【選択図】  図３
2007058955.tif 000002
【特許請求の範囲】
【請求項１】
信号処理回路を備える回路基板と光ピックアップとの間がフレキシブルプリント配線基板で接続された光ディスク装置であって、
上記光ピックアップが、該光ピックアップを構成する金属部材の上記フレキシブルプリント配線基板に対向する平面内に、該金属部材と一体状に形成され突起部を有し、
上記光ピックアップが上記フレキシブルプリント配線基板の対向面に接触するとき、上記突起部の先端部で該フレキシブルプリント配線基板の対向面に接触する構成としたことを特徴とする光ディスク装置。
【請求項２】
上記金属部材は、上記光ピックアップの底部を覆うカバー部材であり、上記突起部は、該カバー部材の平面内に、該カバー部材と一体状に形成された構成である請求項１に記載の光ディスク装置。
【請求項３】
上記突起部は、その先端部の曲面の曲率半径が約０．５×１０−３ｍから約４０×１０−３ｍの範囲内にある構成である請求項１または請求項２に記載の光ディスク装置。
【請求項４】
上記突起部は、高さが約０．０５×１０−３ｍから約０．２×１０−３ｍの範囲内にある構成である請求項１、２または３に記載の光ディスク装置。
【請求項５】
上記金属部材は、熱伝導率が約５０Ｗ／（ｍ・Ｋ）から約８０Ｗ／（ｍ・Ｋ）の範囲内にある材料から成る請求項１から４のいずれかに記載の光ディスク装置。
【請求項６】
信号処理回路を備える回路基板と光ピックアップとの間がフレキシブルプリント配線基板で接続された光ディスク装置であって、
上記光ピックアップは、該光ピックアップを構成する部材の、上記フレキシブルプリント配線基板に対向した平面の表面粗さが約０．５×１０−６ｍから約２０×１０−６ｍの範囲にあり、
上記光ピックアップが上記フレキシブルプリント配線基板の対向面に接触するとき、上記部材の上記平面で該フレキシブルプリント配線基板の対向面に接触する構成としたことを特徴とする光ディスク装置。
【発明の詳細な説明】
【技術分野】
【０００１】
本発明は、信号処理回路を備えた回路基板（以下、主回路基板という）と光ピックアップとの間がフレキシブルプリント配線基板で接続される光ディスク装置に係り、特に、光ピックアップとフレキシブルプリント配線基板との間の吸着を防止する技術に関する。
【背景技術】
【０００２】
本発明に関連した従来技術であって、特許文献に記載されたものとしては、例えば特開２００５−３８５３４号公報（特許文献１）に記載されたものがある。該公報には、フレキシブル基板の傷つきを防止可能な光ピックアップ装置として、光ピックアップ部のハウジングのフレキシブル基板に臨む面に摺接防止部材を設け、光ピックアップ部のハウジングのフレキシブル基板に臨む面と、フレキシブル基板の光ピックアップ部のハウジングに臨む面との間の間隔を確実に保持し、ハウジングの面がフレキシブル基板の面を擦過しないようにするとした技術が記載されている。
【０００３】
【特許文献１】特開２００５−３８５３４号公報
【発明の開示】
【発明が解決しようとする課題】
【０００４】
光ディスク装置の薄型構造化に伴い、主回路基板と光ピックアップとの間を接続するフレキシブルプリント配線基板と該光ピックアップとの間の距離も短縮化され、光ピックアップの移動中に、光ピックアップのボトムカバー部材の平面部とフレキシブルプリント配線基板とが接触し易くなっている。接触した場合には、該ボトムカバー部材の平面部と該フレキシブルプリント配線基板とが吸着状態となるおそれがある。図７は、光ピックアップ１２'とフレキシブルプリント配線基板１７'との間の吸着についての説明図である。薄型の光ディスク装置においては、光ピックアップ１２'のボトムカバー部材１２ｃ'の表面と、ユニットメカ部のアンダーカバー１８'の表面との間の距離は例えば０．７×１０−３ｍ程度と狭くされ、ここに、例えば厚さ約０．２×１０−３ｍのフレキシブルプリント配線基板１７'が配される。
【０００５】
かかる状態で光ピックアップ１２'が光ディスクの略半径方向に移動するとき、フレキシブルプリント配線基板１７'の折り返し部分及び光ピックアップ１２'側の部分もともに移動する。該フレキシブルプリント配線基板１７'のアンダーカバー１８'上にある部分は、該折り返し部分の移動時に変位してアンダーカバー１８'の表面から浮き上がり易く、浮き上がった場合には、該フレキシブルプリント配線基板１７'のアンダーカバー１８'上にある部分の表面がボトムカバー部材１２ｃ'の表面に接触する。例えばボトムカバー部材１２ｃ'が、光ピックアップ１２'の放熱性確保のためにリン青銅などで構成され、表面が滑らかな場合（表面粗さが例えば０．５×１０−６ｍ未満の場合）には、該接触により、図７（ａ）に示すように、フレキシブルプリント配線基板１７'とボトムカバー部材１２ｃ'とは互いに吸着状態となるおそれがある。該吸着状態となった場合には、光ピックアップ１２'の移動によりフレキシブルプリント配線基板１７'を引張って損傷させたり、光ピックアップ１２'の移動負荷を増大させたりする。リン青銅など伝熱性の良い金属材は通常、圧延されたままの表面が滑らかな状態で構造部材として使用されることが多い。光ピックアップ１２'の移動負荷の増大は、図７（ｂ）に示すように、光ピックアップ１２'のガイド部材３２'との係合部１２ｂ１'、１２ｂ２'を傷め易い。図７（ｂ）において、フレキシブルプリント配線基板１７'とボトムカバー部材１２ｃ'とが吸着したとき、吸着領域Ａの実効的な中心点Ｐには、光ピックアップ１２'の移動方向により負荷力Ｆ１またはＦ２が作用し、これが、係合部１２ｂ１'、１２ｂ２'に対してはアーム長Ｒのモーメントとして働くことになり、ガイド部材３２'に係合する係合部１２ｂ１'、１２ｂ２'それぞれの軸受部１２ｄ'を異常磨耗させたり損傷させたりすることが予想される。
【０００６】
上記公報記載の従来技術は、光ピックアップの移動時の擦過によるフレキシブル基板（フレキシブルプリント配線基板）の傷つきを防止するためだけのものであり、光ピックアップとフレキシブル基板の吸着に起因した光ピックアップの移動負荷の増大を抑え、ガイド部材との係合部の異常磨耗や損傷を防止する効果は得られない。また、光ピックアップ部のハウジングには摺接防止部材を取付ける必要がある。
【０００７】
本発明の課題点は、上記従来技術の状況に鑑み、光ディスク装置において、光ピックアップが、部品数を増大させない簡易な構成下で、放熱性を確保しつつフレキシブルプリント配線基板との間の吸着をなくし、該フレキシブルプリント配線基板の損傷を防止するとともに、該光ピックアップの移動負荷の増大を抑えてガイド部材との係合部の異常磨耗や損傷を防止することができるようにすることである。
本発明の目的は、かかる課題点を解決し、信頼性を向上させた光ディスク装置を提供することにある。
【課題を解決するための手段】
【０００８】
上記課題点を解決するために、本発明では、光ディスク装置において、光ピックアップのボトムカバー部材など該光ピックアップを構成する金属部材の、フレキシブルプリント配線基板の平面に対向した部分に一体状に、突起部を設け、該光ピックアップが該フレキシブルプリント配線基板の対向面に接触するとき、該突起部の先端部において接触する構成とする。また、光ピックアップを構成する部材の、フレキシブルプリント配線基板に対向した平面の表面粗さを約０．５×１０−６ｍから約２０×１０−６ｍの範囲とする。
【発明の効果】
【０００９】
本発明によれば、光ディスク装置において、フレキシブルプリント配線基板と光ピックアップとの吸着を防止することができ、装置の信頼性を向上させることができる。
【発明を実施するための最良の形態】
【００１０】
以下、本発明の実施例につき、図面を用いて説明する。
図１〜図５は、本発明の第１の実施例の説明図である。図１は、第１の実施例としての光ディスク装置の平面構成例図、図２は、図１の光ディスク装置におけるユニットメカ部の構成図、図３は、図２のユニットメカ部における光ピックアップとフレキシブルプリント配線基板の側面構成図、図４は、図１の光ディスク装置における光ピックアップの外観図、図５は、図１の光ディスク装置における光ピックアップのボトムカバー部材に設ける突起部の説明図である。本第１の実施例は、突起部を１個設ける場合である。それぞれの図面において、同じ構成要素には同じ符号を付すとする。
【００１１】
図１において、１は光ディスク装置、１０は、光ディスク（図示なし）を載置して装置本体に対して搬入したり搬出したりするトレイ、１１は、光ディスクを回転駆動するディスクモータ、１２は、光ディスクの略半径方向に移動しながら、該光ディスクに対して情報の記録または再生を行う光ピックアップ、１２ａは、光ピックアップ１２内の対物レンズ、１３はカバー部材、１４は、ディスクモータ１１や光ピックアップ１２や該光ピックアップ１２の移動機構（図示なし）などが搭載されたユニットメカ部、１５は前面パネル、２０は、装置の下面側（図１において下面側）を覆うケースとしてのボトムケース、１７は、光ピックアップ１２と主回路基板（図示なし）との間を接続するフレキシブルプリント配線基板である。ユニットメカ部１４は、トレイ１０の所定部分に結合され、装置本体に対し、トレイ１０とともに±Ｘ方向に移動可能である。
【００１２】
また、図２のユニットメカ部１４において、３０はスライドモータ、３１は、表面にねじが設けられ、スライドモータ３０によって回転駆動されることで光ピックアップ１２を光ディスクの略半径方向に移動させるリードスクリュー、３２、３３は、光ピックアップ１２の移動を案内するガイド部材、１２ｂ１、１２ｂ２は、ガイド部材３２に係合する光ピックアップ１２の係合部、１２ｅは、ガイド部材３３に係合する光ピックアップ１２の係合部、１８はアンダーカバー、１９は主回路基板、１７ａは、フレキシブルプリント配線基板１７の光ピックアップ１２側の部分、１７ｂは、フレキシブルプリント配線基板１７の主回路基板１９側の部分（＝アンダーカバー１８上にある部分）、１７ｃは、フレキシブルプリント配線基板１７の折り返し部分、１２ｃは、光ピックアップ１２の底部を覆うボトムカバー部材、１２ｃ１は、ボトムカバー部材１２ｃの平面内に形成された突起部である。他は、上記図１の場合と同様である。ボトムカバー部材１２ｃは、光ピックアップ１２内のレーザダイオード（図示なし）で発生した熱を放熱するために、伝熱性の良いすなわち熱伝導率が約５０Ｗ／（ｍ・Ｋ）（約０．１２cal／(cm・sec・℃)）以上の金属材例えばリン青銅（熱伝導率約５０Ｗ／（ｍ・Ｋ）〜約８０Ｗ／（ｍ・Ｋ）（０．１２cal／(cm・sec・℃)〜０．１９cal／(cm・sec・℃)）などを用いて構成する。突起部１２ｃ１は、ボトムカバー部材１２ｃと一体状に形成され、フレキシブルプリント配線基板１７の主回路基板１９側の部分１７ｂの平面に対向して突出し、光ピックアップ１２がフレキシブルプリント配線基板１７の対向面すなわち該フレキシブルプリント配線基板１７の主回路基板１９側の部分１７ｂの平面に接触するときには、該突起部１２ｃ１の先端部で接触するようになっている。突起部１２ｃ１の寸法は、ボトムカバー部材１２ｃの平面位置からの高さを約０．０５×１０−３〜０．２×１０−３ｍの範囲内の値、先端部の曲面の曲率半径を約０．５×１０−３〜４０×１０−３ｍの範囲内の値とする。かかる値とすることで、光ピックアップ１２移動時に該突起部１２ｃ１がフレキシブルプリント配線基板１７の平面と接触した場合にも、該突起部１２ｃ１の先端部が該平面を損傷することなく、該突起部１２ｃ１の周りに吸着を防ぐための空間を確実に形成可能なことが発明者の実験によって確かめられている。リン青銅など熱伝導率が約５０Ｗ／（ｍ・Ｋ）（約０．１２cal／(cm・sec・℃)）以上の伝熱性の良い材質から成るボトムカバー部材１２ｃとフレキシブルプリント配線基板１７の平面との吸着が防止されることで、光ピックアップ１２の放熱性を確保された状態で、該フレキシブルプリント配線基板１７の損傷が防止されるとともに、光ピックアップ１２の移動負荷の増大を抑えられ、これによって光ピックアップ１２の係合部１２ｂ１、１２ｂ２の軸受の異常磨耗なども防止される。
【００１３】
図３は、図２のユニットメカ部１４内における光ピックアップ１２とフレキシブルプリント配線基板１７の側面構成図である。
図３において、１２ｃ２は、ボトムカバー部材１２ｃの平面部、２５は、主回路基板１９上において、フレキシブルプリント配線基板１７が接続されるコネクタ、ｈは、突起部１２ｃ１のボトムカバー部材１２ｃの平面部１２ｃ２からの高さ、ｇ１は、ボトムカバー部材１２ｃの平面部１２ｃ２とアンダーカバー１８との間の距離、ｇ２は、ボトムカバー部材１２ｃの平面部１２ｃ２とフレキシブルプリント配線基板１７との間の距離である。他は、図２の場合と同様である。図３において、例えば、ｈは、約０．０５×１０−３〜０．２×１０−３ｍの範囲内の値、ｇ１は約０．７×１０−３ｍ、ｇ２は約０．５×１０−３ｍである。光ピックアップ１２が±Ｘ'方向（光ディスクの略半径方向）に移動するとき、接続されているフレキシブルプリント配線基板１７の折り返し部分１７ｃ及び該折り返し部分１７ｃより光ピックアップ１２側の部分１７ａもともに移動する。該移動動作により、フレキシブルプリント配線基板１７の主回路基板１９側の部分１７ｂがアンダーカバー１８の表面から浮き上がって変位し、光ピックアップ１２に接触するとき、フレキシブルプリント配線基板１７の該部分１７ｂは、ボトムカバー部材１２ｃの突起部１２ｃ１の先端部に接触し、ボトムカバー部材１２ｃの平面部１２ｃ２との接触は阻止される。すなわち、突起部１２ｃ１の周囲において平面部１２ｃ２とフレキシブルプリント配線基板１７の表面との間に空間部が形成され、平面部１２ｃ２とフレキシブルプリント配線基板１７の表面とが吸着状態となることが阻止される。フレキシブルプリント配線基板１７の主回路基板１９側の部分１７ｂにもともと反りがある場合も、上記浮き上がりが生じた場合と同様である。このように吸着状態となることが阻止されることにより、光ピックアップ１２は、負荷の増大が抑えられた状態で移動され、ガイド部材３２に係合する光ピックアップ１２の係合部１２ｂ１、１２ｂ２において軸受の異常磨耗や損傷が防止される。フレキシブルプリント配線基板１７の表面の損傷も防止される。
【００１４】
図４は、光ピックアップ１２の外観図である。
図４において、１２ｄは、光ピックアップ１２の係合部１２ｂ１、１２ｂ２の軸受である。ボトムカバー部材１２ｃは光ピックアップ１２の底部を覆うためにもともと設けられているものとする。突起部１２ｃ１は、ボトムカバー部材１２ｃの平面内の、フレキシブルプリント配線基板１７の表面に対向する位置で該フレキシブルプリント配線基板１７の幅方向の略中央に該当する部分に、絞り加工などによって該ボトムカバー部材１２ｃと一体状に形成される。これにより、部品数を増大させることなくかつ簡単に突起部１２ｃ１の形成が可能となる。本第１の実施例の光ディスク装置１では、フレキシブルプリント配線基板１７が、光ピックアップ１２の中心線Ｃ−Ｃ'に対し、光ピックアップ１２の係合部１２ｅ寄りに配されているため、突起部１２ｃ１は、ボトムカバー部材１２ｃの平面内において光ピックアップ１２の係合部１２ｂ１、１２ｂ２から遠い側に設けているが、該突起部１２ｃ１の位置は、これに限らず、ボトムカバー部材１２ｃとフレキシブルプリント配線基板１７との吸着を阻止可能な位置であれば他の位置に設けてもよい。
【００１５】
図５は、ボトムカバー部材１２ｃに設ける突起部１２ｃ１の説明図である。
図５において、突起部１２ｃ１の先端部の曲面は、その曲率半径ｒが約０．５×１０−３〜４０×１０−３ｍの範囲内の値である。光ピックアップ１２の移動時に、フレキシブルプリント配線基板１７のもともとの反りや、該移動により発生するフレキシブルプリント配線基板１７の浮き上がりなどにより、フレキシブルプリント配線基板１７が光ピックアップ１２に接触するとき、ボトムカバー部材１２ｃの突起部１２ｃ１の先端部がフレキシブルプリント配線基板１７に接触し、該突起部１２ｃ１の周囲において平面部１２ｃ２とフレキシブルプリント配線基板１７の表面との間に空間部５０が形成され、該空間部５０により、平面部１２ｃ２とフレキシブルプリント配線基板１７の表面とが吸着状態とならないようにされる。突起部１２ｃ１の先端部は、その曲面の曲率半径ｒの大きさに対応した接触面積でフレキシブルプリント配線基板１７の表面と接触し、光ピックアップ１２の移動負荷の増大を抑える。
【００１６】
上記第１の実施例によれば、光ディスク装置１において、フレキシブルプリント配線基板１７と光ピックアップ１２との間の吸着を防止することができる。該吸着を防止できる結果、フレキシブルプリント配線基板１７の損傷を防止することができるとともに、光ピックアップ１２の移動時の負荷の増大を抑え、光ピックアップ１２のガイド部材３２との係合部１２ｂ１、１２ｂ２特に軸受１２ｄの異常磨耗や損傷を防止することができ、装置の信頼性を向上させることができる。特に、ボトムカバー部材１２ｃとしてリン青銅のように伝熱性の良い材質で表面が滑らかなものを用いた場合には、光ピックアップ１２の放熱性を含めた顕著な効果が得られる。
【００１７】
図６は、本発明の第２の実施例の説明図であって、該第２の実施例の光ディスク装置に用いる光ピックアップ１２の構成例図である。本実施例における光ピックアップ１２では、ボトムカバー部材１２ｃの突起部１２ｃ１を複数の突起部から成る構成とした場合である。
図６において、１２ｃ１ａ、１２ｃ１ｂ、１２ｃ１ｃはそれぞれ、突起部１２ｃ１を構成する突起部である。該突起部１２ｃ１ａ、１２ｃ１ｂ、１２ｃ１ｃはそれぞれ、ボトムカバー部材１２ｃの平面位置からの高さが約０．０５×１０−３〜０．２×１０−３ｍの範囲内の値、先端部の曲面の曲率半径は約０．５×１０−３〜４０×１０−３ｍの範囲内の値であるとする。該高さ寸法や該曲率半径は、該突起部１２ｃ１ａ、１２ｃ１ｂ、１２ｃ１ｃ間で互いに略同じ値にしてもよいし、または、一部もしくは全部が互いに異なるようにしてもよい。また、該突起部１２ｃ１ａ、１２ｃ１ｂ、１２ｃ１ｃの作用は、上記第１の実施例における突起部１２ｃ１の場合と同様である。
上記第２の実施例によっても、上記第１の実施例の場合と同様の効果が得られる。
【００１８】
なお、上記第２の実施例では突起部の数を３個としているが、これに限定されず、２個以上の複数個であればよい。また、上記第１、第２の実施例では、突起部を光ピックアップ１２のボトムカバー部材１２ｃ上に設ける構成としたが、これに限らず、該突起部は、光ピックアップ１２上において、該光ピックアップ１２を構成するボディ、放熱板、シールド板、または他のカバー部材などと一体状にした構成であってもよい。また、突起部の先端部の曲面は、全方向に略同じ曲率を有する曲面であってもよいし、方向によって異なる曲率を有するものであってもよい。さらに、該突起部の全体形状は、先端部に所定の曲面が形成されるものであればよく、特に限定されない。また、光ピックアップ１２のボトムカバー部材１２ｃの伝熱性を低下させてもよい場合には、該ボトムカバー部材１２ｃとして例えばステンレス材などの金属材を用いてもよい。
【００１９】
また、上記第１、第２の実施例では、光ピックアップ１２の、ボトムカバー部材１２ｃなどフレキシブルプリント配線基板１７に対向した部材上に突起部を設ける構成としたが、この他、光ピックアップを構成する部材の、フレキシブルプリント配線基板１７に対向した平面の表面粗さを約０．５×１０−６ｍから約２０×１０−６ｍの範囲とする構成によっても、光ピックアップ１２のボトムカバー部材１２ｃとフレキシブルプリント配線基板１７との間の吸着を防止することが可能であり、これによって、フレキシブルプリント配線基板１７の損傷を防止することができるとともに、光ピックアップ１２の移動時の負荷の増大を抑え、光ピックアップ１２のガイド部材３２との係合部１２ｂ１、１２ｂ２の軸受１２ｄの異常磨耗や損傷を防止することができ、装置の信頼性を向上させることができる。この場合、ボトムカバー部材１２ｃなどフレキシブルプリント配線基板１７に対向する部材としてリン青銅など熱伝導率が約５０Ｗ／（ｍ・Ｋ）（約０．１２cal／(cm・sec・℃)）以上の金属材を用いた場合には、光ピックアップ１２の良好な放熱性も確保される。
【図面の簡単な説明】
【００２０】
【図１】本発明の第１の実施例の光ディスク装置の構成例図である。
【図２】図１の光ディスク装置のユニットメカ部の構成図である。
【図３】図２のユニットメカ部における光ピックアップとフレキシブルプリント配線基板の側面構成図である。
【図４】図１の光ディスク装置における光ピックアップの外観図である。
【図５】図１の光ディスク装置の光ピックアップに設ける突起部の説明図である。
【図６】本発明の第２の実施例の説明図である。
【図７】本発明の課題の説明図である。
【符号の説明】
【００２１】
１…光ディスク装置、
１０…トレイ、
１１…ディスクモータ、
１２…光ピックアップ、
１２ａ…対物レンズ、
１２ｂ１、１２ｂ２、１２ｅ…係合部、
１２ｃ…ボトムカバー部材、
１２ｃ１…突起部、
１３…カバー部材、
１４…ユニットメカ部、
１７…フレキシブルプリント配線基板、
１８…アンダーカバー、
１９…主回路基板、
３０…スライドモータ、
３１…リードスクリュー、
３２、３３…ガイド部材。
【図１】
2007058955.tif 000003
【図２】
2007058955.tif 000004
【図３】
2007058955.tif 000005
【図４】
2007058955.tif 000006
【図５】
2007058955.tif 000007
【図６】
2007058955.tif 000008
【図７】
2007058955.tif 000009